(57)【要約】　　　（修正有）【課題】圧力センサーや、ワイヤー部に電流を流す必要の無い、自転車や二輪車用の盗難防止の為のワイヤーロック装置を提供する。【解決手段】ワイヤ部にピエゾセンサ同軸ケーブルを用いる。ワイヤー部の切断または破壊行為による圧力を直接大きな電圧として検知出来ることを利用する。これにより、通常使用と切断あるいは破壊行為との区別を容易に行うことができ、また消費電力がほとんど無く長期間の使用が可能となる。【選択図】図１
0003100257.tif 000002
【実用新案登録請求の範囲】
【請求項１】
盗難防止用のワイヤーロックにおいてピエゾセンサ同軸ケーブルをワイヤー部に用い、ワイヤーの切断またはワイヤーの受ける強い物理的な圧力により発生する電圧の大きさを検出回路で識別し、警報を発生することを特徴とする盗難防止装置。
【請求項２】
物理的に強固なケーブルをピエゾセンサ同軸ケーブルに併用したワイヤーを用いた請求項１の盗難防止装置。
【請求項３】
請求項１または請求項２において、ピエゾセンサ同軸ケーブルで発生した電力によりスイッチを駆動し、警報発生回路の電源を投入することを特徴とする盗難防止装置。
【請求項４】
請求項１または請求項２において施錠部周囲にピエゾセンサ同軸ケーブルを配し、施錠部の破壊を検出可能とした盗難防止装置。
【請求項５】
請求項１または請求項２において検出回路の電源の投入が、ワイヤーロックの鍵をかけることによりなされることを特徴とする盗難防止装置。
【請求項６】
請求項１または請求項２においてワイヤーロックの鍵の開錠状態で警報発生の試験を行なうことが出来る釦を有することを特徴とする盗難防止装置。
【考案の詳細な説明】
【技術分野】
【０００１】
　盗難防止の為にワイヤーを車輪等に通して結び鍵を掛ける、または固定物と車輪を通して結び鍵を掛けることにより自転車またはバイク等の盗難を防止するワイヤーロックが存在する。 
【０００２】
このような装置においては、すでに盗難時の衝撃等を感知して警報を発生し盗難をさらに困難にしようとする装置が開発されている。本考案はこの分野に適用し有効な方法である。
【背景技術】
【０００３】
材料の圧電効果により電圧（電荷）を発生するピエゾ効果は古くから知られている。この材料を同軸ケーブルの絶縁部に用いたケーブルが作られてきている。ケーブルとしては直径５ｍｍ程度の通常の同軸ケーブルの太さを持ったものから極細い0.25ｍｍ程度の同軸ケーブルがある。また、同軸ケーブルとしてさまざまな加工の可能性がある。
【特許文献１】登録実用新案第３０１２９４９号
【特許文献２】特開２０００−１３２７５４号
【非特許文献１】http://www.measurementspecialties.com/piezo/piezo_coax_cable.htm
【非特許文献２】http://www.imagesco.com/catalog/sensors/piezocoax.html
【非特許文献３】http://www.kiramek.com/japanese/products/bikewatch/index.html
【考案の開示】
【考案が解決しようとする課題】
【０００４】
　図１の構成において、従来ワイヤー部５には鋼製のケーブルを用い、盗難時に発生する衝撃を検出するセンサを例えば施錠部に設けている。あるいは切断の検出のためには、ワイヤー部５に電流の供給を行なっている。
【０００５】
このため、ワイヤー部５の切断あるいは破壊行為による振動に対してセンサの出力の検出レベルの設定が困難であったり、電流を流す為に消費電力が増え長期間の使用が困難となる等の問題があった。
【課題を解決するための手段】
【０００６】
　本考案はワイヤー部５にピエゾセンサ同軸ケーブルを用いることにより、直接ワイヤ部の切断または破壊行為による圧力により大きな電圧が発生することを利用したもので、施錠部内に別にセンサを設けたり、あるいは電流をワイヤーに供給することを必要とせずに通常使用と切断または破壊行為との区別が容易に行なわれる。
【考案の効果】
【０００７】
　本考案によれば、直接ワイヤー部にピエゾセンサ同軸ケーブルを用いる為に、従来のようにセンサを施錠部の内部に設けるとか、ワイヤーに別に電流を供給する必要が無い。切断または破壊行為により直接ケーブルにかかる圧力でケーブル自身が電圧を発生する。
【０００８】
　ピエゾセンサ同軸ケーブルは圧力に比例し、電圧を発生するため通常の使用と異常な圧力を容易に区別できるため簡単な回路で判定ができる。またセンサの出力のために電力を必要としないため、長期にわたり動作可能な盗難防止装置を構成することができる。
【実施例１】
【０００９】
　図１は本考案の実施例である。ワイヤーロックのワイヤー部５に図３に示すピエゾセンサ同軸ケーブル１８を用いる。
【００１０】
　ピエゾセンサ同軸ケーブルをワイヤー部分に用いる為に、ワイヤー部５の切断または破壊による圧力により、ケーブルが自ら電圧を発生する。これを施錠部３に納めた検出器で検出することにより警報を発生し盗難を防止することが可能となる。
【００１１】
　図１には鍵を開けた状態の非施錠時１および鍵を掛けた状態の施錠時２の図を示している。ワイヤー部５にはピエゾセンサ同軸ケーブル１８を用いる。４はワイヤー端のロック部で、施錠時に施錠部３の中に収まり鍵のかかる部分である。
【００１２】
　図2は本考案の盗難防止装置に用いる施錠部３の内部に収まる警報検出発生回路の例を示している。
【００１３】
　ピエゾセンサ同軸ケーブル１８はケーブルに加えられた圧力の大きな変化により、芯線１１およびシールド線１２間に誘電体の発生する電圧が伝達し、アンプ回路１３の入力となる。
【００１４】
アンプ回路１３により増幅された出力信号が判定／ラッチ回路１４により所定レベル以上あると判定された時はこの状態が記憶される。このため一度切断あるいは破壊行為などにより所定レベル以上の電圧が発生すればこれが記憶されることになる。鋭い刃物でケーブルを切断する場合にも切断時の圧力により大きな電圧が発生しこれを記憶し警報を発生しつづけることが出来る。
【００１５】
　記憶された出力は警報回路１５経由でブザー１６を鳴らす。こうして盗難時にはブザー音が鳴りつづけ犯行をあきらめさせることが期待できる。
【００１６】
　これらの回路の電源は電池１７により供給される。アンプ回路１３にＦＥＴなどのＯＦＦ時の電流の極めて小さい回路を用いることによりわずかな電力で長期間の監視が可能となる。
【００１７】
　図３はピエゾセンサ同軸ケーブル１８の断面図の一例であり、図４はケーブルを横から見て理解の為にケーブルの端を開いた図である。
【００１８】
　同軸ケーブルを用いることにより方向によらず圧力を検出することが可能となる。
導体である芯線２３を中心に外側にピエゾ誘電体２２、シールド線２０、切断防止用強化外皮２１から出来ている。ピエゾ誘電体２２に加えられた圧力により芯線２３およびシールド線２０の間に電圧が発生する。
【実施例２】
【００１９】
　図５は細径のピエゾセンサ同軸ケーブル３８を用いたワイヤの断面図である。ワイヤ部５の切断が困難な耐切断強化用の鋼網線３１を中心として、その周囲に複数の細径のピエゾセンサ同軸ケーブル３８を敷設している。
【００２０】
　細径のピエゾセンサ同軸ケーブル３８は芯線２３、ピエゾ誘電体２２、シールド線２０および外皮３７からなる。但しこれらの複数敷設されたピエゾセンサ同軸ケーブルは芯線とシールド線が各々電気的に端でおり返される等により接続され、電気的に一本のケーブルとして直列または並列で接続される。このケーブルは施錠部内の検出回路に電気的に接続される。
【００２１】
　このピエゾセンサ同軸ケーブルはこれによってケーブルを切断しようとした場合、軸の鋼材３１を切断する前に細径のピエゾセンサ同軸ケーブル３８に大きな圧力が加わり警報を発生する。
【００２２】
　また物理的な押さえの例としてポリエチレンなどのワイヤー被覆材３０に埋め込まれた形で構成される。またピエゾセンサ同軸ケーブルをはがされない様に鋼線に埋め込ませる等の方法もある。
【実施例３】
【００２３】
　図６は細径のピエゾセンサ同軸ケーブル３８をワイヤー部５と同時に施錠部３に施したものでこれにより施錠部３の破壊に対しても警報を発することができる。施錠部３の表全面にピエゾセンサ同軸ケーブルを数ｍｍ程度の間隔で敷設する。
【００２４】
　施錠部３に敷設されたケーブルは例としてポリエチレンなどの可塑性のある物質により保護される。このケーブルの端は電気的にワイヤー部のピエゾセンサ同軸ケーブルに直列または並列に接続される。
【実施例４】
【００２５】
　図７はピエゾセンサ同軸ケーブルからの発生した電圧を直接ＦＥＴ５４のゲート入力５１として用い、大きな入力によりＦＥＴ５４がオンするとラッチ回路５５がオンしリレー回路５７を動作させ、警報発生回路５８に電力を供給する。なお、警報発生回路５８は図２の警報回路１５及びブザー１６からなっている。
【００２６】
　ＦＥＴ５４およびラッチ回路５５は、共にオフ時はＦＥＴおよびトランジスタの漏れ電流のみで電力はほとんど使われない。これによりピエゾセンサ同軸ケーブルから発生した電圧により警報発生回路５８に電源が投入されることになる。
【実施例５】
【００２７】
　図８は本盗難防止装置に用いられると有効な釦及び接点を設けた実施例である。ワイヤーロックの鍵６１に物理的に連動するメーク接点７５およびブレーク接点７１。警報試験釦６０に連動するメーク第１接点７２、メーク第２接点７３を持つ。
【００２８】
　電池１７からの電源はワイヤーロックの鍵６１を施錠したときにメーク接点７５により供給される。
【００２９】
　またワイヤーロックの鍵６１が非施錠の時にはブレーク接点７１および警報試験釦６０の押下によるメーク第１接点７２により電源が供給される。この時に判定／ラッチ回路１４にオンとなる入力７４がメーク第２接点７３により与えられる。
【００３０】
　これによりワイヤーロックの鍵が非施錠時は警報試験釦６０を押すことにより警報のブザー１６が鳴る。また警報試験釦６０を放すことにより回路全体への電源が絶たれ警報は停止する。この機能により警報の動作やブザー音を確認できる。
【産業上の利用可能性】
【００３１】
　本考案は盗難防止用のワイヤーロックにおいて、ワイヤーを盗難を免れたい目的物の閉じられた輪の部分に通し鍵をかけることにより輪の回転を阻止し移動を困難として盗難を防止する。
【００３２】
　またワイヤーを堅牢な構築物の閉じられた空部分に同時に通して鍵をかけることによりワイヤを切断しない限り目的物の移動が不可能となる。ワイヤーを切断あるいは施錠部を含めて破壊しようとするとき、警報のブザー音を発生することによりさらに盗みを困難にすることが出来る。
【００３３】
　このようなワイヤーロック装置において本考案を適用することにより、容易に通常使用と盗難などによるワイヤーにかかる大きな圧力を区別でき、しかも長期に使用することが出来る。
【００３４】
　盗難を免れたい目的物としては自動二輪車、自転車、特殊軽自動車などが例として考えられる。請求項２によれば、ケーブルの切断完了前に検出し警報のブザー音を発生するため盗難を未然に防止する効果が大きい。
【図面の簡単な説明】
【００３５】
【図１】非施錠時及び施錠時のワイヤーロック装置（実施例１）
【図２】施錠部内に収めた警報検出発生回路ブロック例（実施例１）
【図３】ピエゾセンサ同軸ケーブルを用いたワイヤーの断面図（実施例１）
【図４】ピエゾセンサ同軸ケーブルを用いたワイヤーの端を開いた側面図(実施例１)
【図５】細径のピエゾセンサ同軸ケーブルを用いたワイヤー断面図（実施例２）
【図６】施錠部表面に細径のピエゾセンサ同軸ケーブルを敷設した図（実施例３）
【図７】警報発生回路への電源供給を示す図（実施例４）
【図８】ワイヤーロック鍵、警報試験釦による電源供給と警報試験の図（実施例５）
【符号の説明】
【００３６】
１　非施錠時のワイヤーロック装置
２　施錠時のワイヤーロック装置
３　施錠部
４　ワイヤー端ロック部
５　ワイヤー部
１１　ピエゾセンサ同軸ケーブルの芯線
１２　ピエゾセンサ同軸ケーブルのシールド線
１３　アンプ回路
１４　判定／ラッチ回路
１５　警報回路
１６　ブザー
１７　電池
１８　ピエゾセンサ同軸ケーブル
２０　シールド線
２１　切断防止強化外皮
２２　ピエゾ誘電体
２３　芯線
３０　ワイヤー被覆材
３１　鋼網線
３７　外皮
３８　細径のピエゾセンサ同軸ケーブル
４４　施錠用鍵穴
５０　ワイヤー留
５１　ゲート入力
５４　ＦＥＴトランジスタ
５５　ラッチ回路
５７　リレー回路
５８　警報発生回路
６０　警報試験釦
６１　鍵
７１　ワイヤーロック鍵ブレーク接点
７２　警報試験釦メーク第１接点
７３　警報試験釦メーク第２接点
７４　警報試験釦メーク第２接点出力
７５　ワイヤーロック鍵メーク接点
７６　ワイヤ受け
７７　ロック部
【図１】
0003100257.tif 000003
【図２】
0003100257.tif 000004
【図３】
0003100257.tif 000005
【図４】
0003100257.tif 000006
【図５】
0003100257.tif 000007
【図６】
0003100257.tif 000008
【図７】
0003100257.tif 000009
【図８】
0003100257.tif 000010